(57)【要約】【課題】表示部を反転した状態でも本体装置にロックすることができるとともに、入力操作に対する支障を無くすことである。【解決手段】表示部１３の表面１９ａ又は裏面１９ｂを選択的に装置本体１１に対面させた状態で、表示部１３を装置本体１１にロックするための構造である。本体ケース１７に矩形状の貫通長穴である本体ケース穴１８を形成し、表示部ケース１９の表面１９ａ及び裏面１９ｂの本体ケース穴１８に対応する部分にそれぞれ矩形状の貫通長穴である第１の表示部ケース穴２０及び第２の表示部ケース穴２１を形成する。表示部ケース１９に、スライド可能にホルダ部材２３を取り付け、本体ケース穴１８に係合可能な爪部２２ａを有するロック部材２２を、爪部２２ａが第１の表示部ケース穴２０又は第２の表示部ケース穴２１から選択的に突出するように、ホルダ部材２３に回転可能に取り付けて構成される。【選択図】図２
2004318908.tif 000002
【特許請求の範囲】
【請求項１】
第１面及び第２面を有する第１の部材と、
第２の部材と、
上記第１の部材の第１面が上記第２の部材に対向する第１の状態と上記第１の部材の第２面が上記第２の部材に対向する第２の状態との間で上記第１及び第２の部材が相対的に変位することができるように上記第１及び第２の部材を連結する連結手段とを備え、
上記第１の部材は、上記第１面及び第２面のいずれか一方から選択的に突出することができるように設けられるフック部材を有しており、
上記第２の部材は、上記フック部材が係合すべき係合部を有している情報処理装置。
【請求項２】
請求項１に記載の装置であって、
上記第２の部材は第３面及び第４面を有し、
上記係合部は上記第３面に設けられており、
上記連結手段は、各々上記第１の部材を回転可能に支持する互いに直交する２軸を含み、
それにより、上記第１の状態では上記第１面及び第３面が互いに対向して上記フック部材が上記係合部に係合し、上記第２の状態では上記第２面及び上記第３面が互いに対向して上記フック部材が上記係合部に係合する装置。
【請求項３】
請求項２に記載の装置であって、
上記第１の部材は上記第１面に表示ユニットを有し、
上記第２の部材は上記第３面にキーボードユニットを有し、
それにより、上記第１の状態では上記表示ユニット及び上記キーボードユニットが上記第１及び上記第２の部材間に閉じ込められ、上記第２の状態では上記表示ユニットが上記装置の外に向く装置。
【請求項４】
第１面及び第２面を有する第１の部材と、
第２の部材と、
上記第１の部材の第１面が上記第２の部材に対向する第１の状態と上記第１の部材の第２面が上記第２の部材に対向する第２の状態との間で上記第１及び第２の部材が相対的に変位することができるように上記第１及び第２の部材を連結する連結手段と、
上記第１及び第２の状態の各々で上記第１及び第２の部材を挟み込んだ状態とその挟み込みを解除した状態との間でスライド可能に設けられるスライダとを備えた情報処理装置。
【発明の詳細な説明】
【技術分野】
【０００１】
本発明は、表示部を備えた情報処理装置に関する。
【０００２】
ラップトップ型、ノートブック型、その他の携帯型のパーソナルコンピュータやワードプロセッサ等の情報処理装置においては、入力の簡単化等を図るため、キーボード入力を補助し、あるいはキーボード入力に替わって、入力ペンのペン先を表示面（ディスプレイ画面）の表面に近接させ、あるいは接触させることにより入力操作を行うようにしたものが実用されている。
【０００３】
このような情報処理装置においては、非使用時にディスプレイ画面の保護の観点から表示部の表面（ディスプレイ画面側の面）が本体装置に対面した状態と、使用時のペン操作の操作性の観点から表示部の裏面（ディスプレイ画面と反対側の面）が本体装置に対面した状態のいずれかを選択的に設定できるようになっており、これらの各状態において、表示部を本体装置に解除可能に固定するロックする必要がある。
【背景技術】
【０００４】
携帯型の情報処理装置は一般に、本体装置及び表示部を備えて構成される。本体装置は入力操作を行うためのキーボードを有している。表示部は概略矩形状の板状に形成され、水平な第１の軸により、本体装置に開閉可能に支持されている。
【０００５】
表示部は、該第１の軸を中心として閉じた状態で、キーボードに対向する面（表面）にディスプレイ画面を備えている。また、表示部は、該第１の軸を中心として開いた状態で、該第１の軸に概略直交する第２の軸を中心として、表面と裏面を入れ換えるように、概略１８０度回転できるようになっている。
【０００６】
表示部を該第２の軸を中心として反転した状態で、該第１の軸を中心として表示部を閉じることにより、ディスプレイ画面を上に向けた状態で、キーボードの上に表示部が位置するようになっている。
【０００７】
この情報処理装置を使用しない場合には、ディスプレイ画面がキーボードに対面するようにして、表示部を閉じておくことにより、ディスプレイ画面及びキーボードが表示部によって保護される。
【０００８】
この情報処理装置を使用する場合であって、キーボード及び入力ペンを用いて入力操作を行う場合には、表示部を第１の軸を中心として開いた状態で使用する。入力ペンのみを用いて入力操作を行う場合には、表示部を開いた状態から第２の軸を中心として反転させた後、第１の軸を中心として表示部を閉じた状態で使用する。
【０００９】
このような情報処理装置においては、表示部は非使用時におけるディスプレイ画面やキーボードの保護あるいは持ち運びの利便等の観点から、表示部を閉じた状態で本体装置に固定するためのロック構造が採用されている。
【００１０】
従来のロック構造を図１０（ａ）及び（ｂ）に示す。本体装置の本体ケース７１の表示部に対面するキーボードが配列された部分の両隅部近傍には、それぞれ概略矩形状の貫通した長穴である本体ケース穴７２が形成されている。
【００１１】
表示部が収容された表示部ケース７３のディスプレイ画面が設けられた面（表面）の本体ケース穴７２のそれぞれに対応する位置には、概略矩形状の貫通する長穴である表示部ケース穴７４がそれぞれ形成されている。
【００１２】
７５は本体ケース７１の本体ケース穴７２に解除可能に係合する爪部７５ａを有するロック部材であり、ロック部材７５には軸部材７６が一体的に取り付けられている。表示部ケース７３の裏面の内側の表示部ケース穴７４に対応する位置には、一対の支持部材７７が一体的に設けられている。この一対の支持部材７７には、それぞれ貫通穴が形成されており、これらの貫通穴に軸部材７６が挿入されることにより、ロック部材７５がスライド可能に支持されている。
【００１３】
表示部ケース７３の側面には貫通穴が形成され、ツマミ部材７８が外側からこの側面の貫通穴を貫通され、ロック部材７５の矩形穴７５ｂにツマミ部材７８の先端の係合部７８ａが係合することにより、ツマミ部材７８がロック部材７５に固定されている。７９はロック部材７５を爪部７５ａが本体ケース穴７２に係合するように付勢するコイルバネである。
【００１４】
しかして、表示部をディスプレイ画面がキーボードに対面するように第１の軸を中心として閉じると、ロック部材７５の爪部７５ａがコイルバネ７９の付勢力により本体ケース穴７２に係合し、表示部が本体装置に固定される。表示部を第１の軸を中心として開く場合には、ツマミ部材７８をコイルバネ７９の付勢力に抗してスライドさせることにより、ロック部材７５の爪部７５ａの本体ケース穴７２に対する係合が解除される。
【発明の開示】
【発明が解決しようとする課題】
【００１５】
しかし、従来技術によると、表示部をディスプレイ画面側の面（表面）が本体装置のキーボードに対面した状態でロックすることはできるが、表示部をディスプレイ画面に対して反対側の面（裏面）が本体装置のキーボードに対面した状態、即ち、ディスプレイ画面が上を向いた状態ではロックすることができず、この状態で情報処理装置を持ち運ぶことができない、あるいは持ち運びづらいという問題があった。
【００１６】
また、ディスプレイ画面を上に向けて使用しているときに、ロック部材の爪部が上向きに突出しているので、操作に支障がある場合があるとともに、けが等の原因になる場合があるという問題があった。
【００１７】
本発明はこのような点に鑑みてなされたものであり、その目的とするところは、ディスプレイ画面が本体装置に対面した状態のみならず、ディスプレイ画面を上に向けた状態でも表示部を本体装置にロックすることができるとともに、操作に支障の無い情報処理装置を提供することである。
【課題を解決するための手段】
【００１８】
前述した課題を解決するため、中空の表示部ケースに収容された表示部の表面が本体ケースに収容された本体装置に対面した第１の状態又は該表示部の該表面に対して反対側の裏面が該本体装置に対面した第２の状態のいずれかを選択的に設定可能な情報処理装置において、以下のように構成する。
【００１９】
即ち、前記本体ケースの前記表示部に対面する部分に長穴である本体ケース穴を形成し、前記表示部ケースの前記表面の前記本体ケース穴に対応する部分に内外に貫通する長穴である第１の表示部ケース穴を形成し、前記表示部ケースの前記裏面の前記本体ケース穴に対応する部分に内外に貫通する長穴である第２の表示部ケース穴を形成する。
【００２０】
そして、前記表示部ケースに、前記第１の表示部ケース穴及び前記第２の表示部ケース穴の長手方向に沿う方向にスライド可能にホルダ部材を取り付け、前記本体ケース穴に係合可能な爪部を有するロック部材を、該爪部が前記第１の表示部ケース穴又は前記第２の表示部ケース穴から選択的に突出するように、前記ホルダ部材に回転可能に取り付ける。
【００２１】
本発明によると、ロック部材を回転できるようにしたので、ディスプレイ画面が本体装置に対面した状態のみならず、ディスプレイ画面を上に向けた状態でも表示部を本体装置にロックすることができるようになり、いずれの状態においても持ち運びに支障がない。
【００２２】
また、同様にロック部材が回転できるから、ディスプレイ画面を上に向けた状態でもロック部材の爪部を表示部ケース内に収容することができ、ロック部材の爪部が突出していることによる操作の支障が無くなる。
【発明の効果】
【００２３】
本発明は以上説明したように構成したので、ディスプレイ画面が本体装置に対面した状態のみならず、ディスプレイ画面を上に向けた状態でも表示部を本体装置にロックすることができるようになり、いずれの状態においても持ち運びに支障がないという効果を奏する。
【００２４】
また、ディスプレイ画面を上に向けた状態でもロック部材の爪部を表示部ケース内に収容することができ、ロック部材の爪部が突出していることによる操作の支障が無くなるという効果もある。
【発明を実施するための最良の形態】
【００２５】
以下、本発明の実施の形態を図面に基づいて説明することにする。
【００２６】
［第１の実施の形態］
図１（ａ）及び（ｂ）は本発明の第１の実施の形態の携帯型の情報処理装置の外観を示す斜視図である。
【００２７】
同図において、１１は本体装置であり、本体装置１１は入力操作を行うためのキーボード１２を有している。１３は表示部であり、表示部１３は概略矩形状の板状に形成され、水平な第１の軸１４により、本体装置１１に開閉可能に支持されている。
【００２８】
表示部１３は、第１の軸１４を中心として閉じた状態で、キーボード１２に対向する面（表面）にディスプレイ画面１５を備えている。また、表示部１３は、図１（ａ）に示されているように、第１の軸１４を中心として開いた状態で、第１の軸１４に概略直交する第２の軸１６を中心として、表面と裏面を入れ換えるように、概略１８０度回転できるようになっている。
【００２９】
表示部１３を第２の軸１６を中心として反転した状態で、第１の軸１４を中心として表示部１３を閉じることにより、図１（ｂ）に示すように、ディスプレイ画面１５を上に向けた状態で、キーボード１２の上に表示部１３が位置するようになっている。
【００３０】
この情報処理装置を使用しない場合には、ディスプレイ画面１５がキーボード１２に対面するようにして、表示部１３を閉じておくことにより、ディスプレイ画面１５及びキーボード１２が表示部１３によって保護される。
【００３１】
この情報処理装置を使用する場合であって、キーボード１２及び入力ペンを用いて入力操作を行う場合には、図１（ａ）に示されているように、表示部１３を第１の軸１４を中心として開いた状態で使用する。入力ペンのみを用いて入力操作を行う場合には、図１（ｂ）に示されているように、表示部１３を開いた状態から第２の軸１６を中心として反転させた後、第１の軸１４を中心として表示部１３を閉じた状態で使用する。
【００３２】
この情報処理装置には、持ち運びの観点等から、表示部１３を閉じた状態で本体装置１１に固定するため、図２（ａ）、図２（ｂ）及び図３に示されているようなロック構造が採用されている。
【００３３】
本体装置１１の本体ケース１７の表示部１３に対面するキーボード１２が配列された部分の両隅部近傍には、それぞれ概略矩形状の貫通した長穴である本体ケース穴１８が形成されている。
【００３４】
表示部１３が収容された表示部ケース１９のディスプレイ画面１５が設けられた面（表面）１９ａの本体ケース穴１８のそれぞれに対応する位置には、概略矩形状の貫通する長穴である第１の表示部ケース穴２０がそれぞれ形成されている。
【００３５】
表示部１３が収容された表示部ケース１９の表面１９ａに対して反対側の面（裏面）１９ｂの本体ケース穴１８のそれぞれに対応する位置には、概略矩形状の貫通する長穴である第２の表示部ケース穴２１がそれぞれ形成されている。
【００３６】
２２は本体ケース１７の本体ケース穴１８に解除可能に係合する爪部２２ａを有するロック部材である。ロック部材２２は凸部２２ｂを有する弾性部及び矩形状の穴を有する円柱状の突起２２ｃを有している。
【００３７】
２３はホルダ部材であり、ホルダ部材２３には軸部材２４が一体的に固定されている。表示部ケース１９の内面の第１の表示部ケース穴２０及び第２の表示部ケース穴２１に対応する位置の近傍には、一対の支持部材２５が一体的に設けられている。
【００３８】
この一対の支持部材２５には、貫通穴が形成されており、これらの貫通穴に軸部材２４が挿入されることにより、ホルダ部材２３がスライド可能に支持されている。
【００３９】
ロック部材２２は、突起部２２ｃがホルダ部材２３の貫通穴２３ａに挿入された状態で、ツマミ部材２６が表示部ケース１９の側面に形成された貫通穴に外側から挿入され、さらにロック部材２２の突起部２２ｃの矩形状の穴に挿入され、反対側からネジ２７がツマミ部材２６の先端に螺合されることにより、ホルダ部材２３に回転可能に取り付けられている。
【００４０】
２８はロック部材２２を爪部２２ａが本体ケース穴１８に係合するように付勢するコイルバネである。また、ホルダ部材２３には、ロック部材２２の凸部２２ｂが係合可能な凹部２３ａが形成されている。ロック部材２２には、一対のスリット２２ｄが形成されることにより、凸部２２ｂが弾性的に支持されている。
【００４１】
しかして、この情報処理装置を使用しない場合には、ツマミ部材２６を回転してロック部材２２の爪部２２ａが第１の表示部ケース穴２０を通過して表面（ディスプレイ画面１５側の面）１９ａから突出した状態として、表示部１３をディスプレイ画面１５がキーボード１２に対面するように第１の軸１４を中心として閉じると、ロック部材２２の爪部２２ａがコイルバネ２８の付勢力により本体ケース穴１８に係合し、表示部１３が本体装置１１に固定される。
【００４２】
表示部１３を第１の軸１４を中心として開く場合には、ツマミ部材２６をコイルバネ２８の付勢力に抗してスライドさせることにより、ロック部材２２の爪部２２ａの本体ケース穴１８に対する係合が解除される。
【００４３】
この情報処理装置を使用する場合であって、入力ペンを用いて入力操作を行う場合には、表示部１３を開いた状態（図１（ａ）の状態）から第２の軸１６を中心として反転させ、ツマミ部材２６を回転してロック部材２２の爪部２２ａが第２の表示部ケース穴２１を通過して裏面１９ｂ側に突出した状態とする。
【００４４】
そして、表示部１３を裏面１９ｂがキーボード１２に対面するように第１の軸１４を中心として閉じると、ロック部材２２の爪部２２ａがコイルバネ２８の付勢力により本体ケース穴１８に係合し、図１（ｂ）に示されている状態で、表示部１３が本体装置１１に固定される。
【００４５】
表示部１３を第１の軸１４を中心として開く場合には、ツマミ部材２６をコイルバネ２８の付勢力に抗してスライドさせることにより、ロック部材２２の爪部２２ａの本体ケース穴１８に対する係合が解除される。
【００４６】
ロック部材２２は、爪部２２ａが第１の表示部ケース穴２０又は第２の表示部ケース穴２１から突出した状態で、凸部２２ｂがホルダ部材２３の凹部２３ａに弾性的に係合する。従って、ロック部材２２を回転したときの位置決めが確実であり、爪部２２ａの本体ケース穴１８への係合が確実になされるようになっている。
【００４７】
この第１の実施の形態によると、ロック部材２２を１８０度回転させることにより、単一の爪部２２ａを、第１の表示部ケース穴２０又は第２の表示部ケース穴２１から選択的に突出させるように構成したので、ディスプレイ画面１５が本体装置１１に対面した状態のみならず、ディスプレイ画面１５を上に向けた状態でも表示部１３を本体装置１１にロックすることができるようになり、いずれの状態においても支障無く持ち運びできるようになる。
【００４８】
また、ロック部材２２の回転により、ディスプレイ画面１５を上に向けた状態でもロック部材２２の爪部２２ａを表示部ケース１９内に収容することができ、ロック部材２２の爪部２２ａが突出していることによる操作に対する支障も無くなる。
【００４９】
［第２の実施の形態］
本発明の第２の実施の形態における表示部のロック構造は、図４（ａ）、図４（ｂ）及び図５に示されている。前記第１の実施の形態と実質的に同一の構成部分については同一の番号を付し、その説明の一部を省略する。
【００５０】
本体装置１１の本体ケース１７の表示部１３に対面するキーボード１２が配列された部分の両隅部近傍には、それぞれ概略矩形状の貫通した長穴である本体ケース穴１８が形成されている。
【００５１】
表示部１３が収容された表示部ケース１９のディスプレイ画面１５が設けられた面（表面）１９ａの本体ケース穴１８のそれぞれに対応する位置には、概略矩形状の貫通する長穴である第１の表示部ケース穴２０がそれぞれ形成されている。
【００５２】
表示部１３が収容された表示部ケース１９の表面１９ａに対して反対側の面（裏面）１９ｂの本体ケース穴１８のそれぞれに対応する位置には、概略矩形状の貫通する長穴である第２の表示部ケース穴２１がそれぞれ形成されている。
【００５３】
３１は本体ケース１７の本体ケース穴１８に解除可能に係合する一対の爪部３１ａ、３１ｂを有するロック部材である。ロック部材３１の一対の爪部３１ａ、３１ｂは互いに直交するように配置されている。ロック部材３１は、中央部に貫通穴３１ｃを有しており、また、一対の凹部３１ｄを有している。
【００５４】
３２はホルダ部材であり、ホルダ部材３２には軸部材２４が一体的に固定されている。ホルダ部材３２は、円柱状の突起部３２ａ、矩形穴３２ｂ及びバネ取付用の一対の突起３２ｃを有しており、バネ取付用突起３２ｃには、凸部３３ａを有するバネ３３が取り付けられている。
【００５５】
表示部ケース１９の内面の第１の表示部ケース穴２０及び第２の表示部ケース穴２１に対応する位置の近傍には、一対の支持部材２５が一体的に設けられている。この一対の支持部材２５には、貫通穴が形成されており、これらの貫通穴に軸部材２４が挿入されることにより、ホルダ部材３２がスライド可能に支持されている。
【００５６】
ロック部材３１は、その貫通穴３１ｃにホルダ部材３２の突起部３２ａを挿入した状態で、ネジ３４が突起部３２ａの先端に螺合されることにより、ホルダ部材３２に回転可能に支持される。
【００５７】
３５はツマミ部材であり、ツマミ部材３５は一対の係合突起３５ａを有しており、この係合突起３５ａが表示部ケース１９の側面に形成された貫通穴１９ｃに外側から挿入され、さらにホルダ部材３２の矩形穴３２ｂに挿入・係合されることにより、ホルダ部材３２に固定される。２８はロック部材３１をその爪部３１ａ又は３１ｂが本体ケース穴１８に係合するように付勢するコイルバネである。
【００５８】
しかして、この情報処理装置を使用しない場合には、ロック部材３１を回転してロック部材３１の一方の爪部３１ａが第１の表示部ケース穴２０を通過して表面（ディスプレイ画面１５側の面）１９ａから突出した状態とする。
【００５９】
そして、表示部１３をディスプレイ画面１５がキーボード１２に対面するように第１の軸１４を中心として閉じると、ロック部材３１の爪部３１ａがコイルバネ２８の付勢力により本体ケース穴１８に係合し、表示部１３が本体装置１１に固定される。
【００６０】
表示部１３を第１の軸１４を中心として開く場合には、ツマミ部材３５をコイルバネ２８の付勢力に抗してスライドさせることにより、ロック部材３１の爪部３１ａの本体ケース穴１８に対する係合が解除される。
【００６１】
この情報処理装置を使用する場合であって、入力ペンを用いて入力操作を行う場合には、表示部１３を開いた状態（図１（ａ）の状態）から第２の軸１６を中心として反転させ、ロック部材３１を回転してロック部材３１の他方の爪部３１ｂが第２の表示部ケース穴２１を通過して裏面１９ｂ側に突出した状態とする。
【００６２】
そして、表示部１３を裏面１９ｂがキーボード１２に対面するように第１の軸１４を中心として閉じると、ロック部材３１の爪部３１ｂがコイルバネ２８の付勢力により本体ケース穴１８に係合し、図１（ｂ）に示されている状態で、表示部１３が本体装置１１に固定される。
【００６３】
表示部１３を第１の軸１４を中心として開く場合には、ツマミ部材３５をコイルバネ２８の付勢力に抗してスライドさせることにより、ロック部材３１の爪部３１ｂの本体ケース穴１８に対する係合が解除される。
【００６４】
ロック部材３１は、一方の爪部３１ａが第１の表示部ケース穴２０から突出した状態又は他方の爪部３１ｂが第２の表示部ケース穴２１から突出した状態で、バネ３３の凸部３３ａがロック部材３１の凹部３１ｄに弾性的に係合するから、ロック部材３１を回転したときの位置決めが確実であり、爪部３１ａ又は３１ｂの本体ケース穴１８への係合が確実になされるようになっている。
【００６５】
この第２の実施の形態によると、ロック部材３１を概略９０度回転させることにより、一方の爪部３１ａを第１の表示部ケース穴２０から、又は他方の爪部３１ｂを第２の表示部ケース穴２１から選択的に突出させるように構成したので、ディスプレイ画面１５が本体装置１１に対面した状態のみならず、ディスプレイ画面１５を上に向けた状態でも表示部１３を本体装置１１にロックすることができるようになり、いずれの状態においても支障無く持ち運びできるようになる。
【００６６】
また、ロック部材３１の回転により、ディスプレイ画面１５を上に向けた状態でもロック部材３１の爪部３１ｂを表示部ケース１９内に収容することができ、ロック部材３１の爪部３１ｂが突出していることによる操作に対する支障も無くなる。
【００６７】
［第３の実施の形態］
本発明の第３の実施の形態における表示部のロック構造は、図６（ａ）、図６（ｂ）及び図７に示されている。前記第１の実施の形態と実質的に同一の構成部分については同一の番号を付し、その説明の一部を省略する。
【００６８】
本体装置１１の本体ケース１７の表示部１３に対面するキーボード１２が配列された部分の両隅部近傍には、それぞれ概略矩形状の貫通した長穴である本体ケース穴１８が形成されている。
【００６９】
表示部１３が収容された表示部ケース１９のディスプレイ画面１５が設けられた面（表面）１９ａの本体ケース穴１８のそれぞれに対応する位置には、概略矩形状の貫通する長穴である第１の表示部ケース穴２０がそれぞれ形成されている。
【００７０】
表示部１３が収容された表示部ケース１９の表面１９ａに対して反対側の面（裏面）１９ｂの本体ケース穴１８のそれぞれに対応する位置には、概略矩形状の貫通する長穴である第２の表示部ケース穴２１がそれぞれ形成されている。
【００７１】
４１は本体ケース１７の本体ケース穴１８に解除可能に係合する一対の爪部４１ａ、４１ｂを有するロック部材である。ロック部材４１の一対の爪部４１ａ、４１ｂは、互いに反対方向に突出するように形成され、中央の本体部には貫通する丸穴４１ｃが形成されている。
【００７２】
４２はホルダ部材であり、ホルダ部材４２は一対の矩形状の枠部材を一体的に固着してなり、上下に溝４２ａを有している。ホルダ部材４２には軸部材４３が一体的に固定されている。軸部材４３の先端部４３ａは先細に形成されている。表示部ケース１９の内面の第１の表示部ケース穴２０及び第２の表示部ケース穴２１に対応する位置の近傍には、一対の支持部材４４、４５が一体的に設けられている。
【００７３】
これら一対の支持部材の一方４４には、上下に一対の貫通穴４４ａ、４４ｂが形成されており、他方４５には溝４５ａが形成されており、これらの貫通穴４４ａ、４４ｂのいずれか一方及び溝４５ａに軸部材４３が挿入されることにより、ホルダ部材４２がスライド可能に支持されている。
【００７４】
ロック部材４１は、ロック部材４１の本体部がホルダ部材４２の枠部材の内側に位置し、爪部４１ａ、４１ｂが溝４２ａ、４２ａを貫通して上下に突出するように配置されることにより、ホルダ部材４２の内側でスライド可能に支持されている。４６はコイルバネであり、ロック部材４１をホルダ部材４２の内側で、爪部４１ａ又は４１ｂが本体ケース穴１８に係合する方向に付勢する。
【００７５】
表示部ケース１９の側面には、図６（ｂ）及び図７に示されるような、概略Ｕ字又はＶ字を横向きにしたような形状の切溝４７が形成されている。４８はツマミ部材であり、ツマミ部材４８は、円柱状の突起４８ａが外側からこの切溝４７に挿入され、ロック部材４１の本体部の貫通穴４１ｃに挿入され、ツマミ部材４８の突起４８ａの先端にネジ４９が螺合されることにより、ロック部材４１に取り付けられている。
【００７６】
５０はホルダ部材４２を支持部材４４側に付勢するコイルバネである。また、表示部ケース１９の内部には、ホルダ部材４２のスライドを制限するための一対のストッパ部材５１、５２が一体的に形成されている。
【００７７】
しかして、この情報処理装置を使用しない場合には、ツマミ部材４８を切溝４７に沿って表面１９ａ（ディスプレイ画面）側に移動すると、コイルバネ５０の付勢力により、ホルダ部材４２の軸部材４３の先端４３ａが支持部材４４の表面１９ａ側の穴４４ａに挿入されるとともに、ホルダ部材４２がストッパ部材５１に当接し、ロック部材４１の一方の爪部４１ａが第１の表示部ケース穴２０を通過して表面１９ａから突出した状態となる。
【００７８】
この状態で、表示部１３をディスプレイ画面１５がキーボード１２に対面するように第１の軸１４を中心として閉じると、ロック部材４１の一方の爪部４１ａがコイルバネ４６の付勢力により本体ケース穴１８に係合し、表示部１３が本体装置１１に固定される。
【００７９】
表示部１３を第１の軸１４を中心として開く場合には、ツマミ部材４８をコイルバネ４６の付勢力に抗してスライドさせることにより、ロック部材４１がホルダ部材４２内でスライドし、ロック部材４１の爪部４１ａの本体ケース穴１８に対する係合が解除される。
【００８０】
この情報処理装置を使用する場合であって、入力ペンを用いて入力操作を行う場合には、表示部１３を開いた状態（図１（ａ）の状態）から第２の軸１６を中心として反転させ、ツマミ部材４８を切溝４７に沿って裏面１９ｂ側に移動すると、コイルバネ５０の付勢力により、ホルダ部材４２の軸部材４３の先端４３ａが支持部材４４の裏面１９ｂ側の穴４４ｂに挿入されるとともに、ホルダ部材４２がストッパ部材５２に当接し、ロック部材４１の他方の爪部４１ｂが第２の表示部ケース穴２１を通過して裏面１９ｂから突出した状態となる。
【００８１】
そして、表示部１３を裏面１９ｂがキーボード１２に対面するように第１の軸１４を中心として閉じると、ロック部材４１の他方の爪部４１ｂがコイルバネ４６の付勢力により本体ケース穴１８に係合し、図１（ｂ）に示されている状態で、表示部１３が本体装置１１に固定される。
【００８２】
表示部１３を第１の軸１４を中心として開く場合には、ツマミ部材４８をコイルバネ４６の付勢力に抗してスライドさせることにより、ロック部材４１がホルダ部材４２内でスライドし、ロック部材４１の爪部４１ｂの本体ケース穴１８に対する係合が解除される。
【００８３】
この第３の実施の形態によると、ロック部材４１及びホルダ部材４２等の組み合わせにより、ロック部材４１の一方の爪部４１ａを第１の表示部ケース穴２０から、又はロック部材４１の他方の爪部４１ｂを第２の表示部ケース穴２１から選択的に突出させるように構成したので、ディスプレイ画面１５が本体装置１１に対面した状態のみならず、ディスプレイ画面１５を上に向けた状態でも表示部１３を本体装置１１にロックすることができるようになり、いずれの状態においても支障無く持ち運びできるようになる。
【００８４】
また、ロック部材４１は第１の表示部ケース穴２０及び第２の表示部ケース穴２１に沿う方向にスライドできるのみならず、第１の表示部ケース穴２０及び第２の表示部ケース穴２１に渡る方向にスライドできるようにしたから、ディスプレイ画面１５を上に向けた状態でもロック部材４１の爪部４１ｂを表示部ケース１９内に収容することができ、ロック部材４１の爪部４１ｂが突出していることによる操作に対する支障も無くなる。
【００８５】
［第４の実施の形態］
本発明の第４の実施の形態における表示部のロック構造は、図８（ａ）、図８（ｂ）及び図９に示されている。前記第１の実施の形態と実質的に同一の構成部分については同一の番号を付し、その説明の一部を省略する。
【００８６】
本体装置１１の本体ケース１７の表示部１３に対面するキーボード１２が配列された部分の両隅部の両側面には、それぞれ薄板凸状の第１のガイド部材６１が固着又は一体的に形成されている。第１のガイド部材６１は、切欠部６１ａを有するとともに、上下にそれぞれ溝部６１ｂを有している。
【００８７】
表示部１３が収容された表示部ケース１９の両側面の第１のガイド部材６１の切欠部６１ａに対応する部分であって、ディスプレイ画面１５が設けられた面（表面）１９ａ側には、それぞれ薄板凸状の第２のガイド部材６２が固着又は一体的に形成されている。第２のガイド部材６２は溝部６２ａを有している。
【００８８】
表示部１３が収容された表示部ケース１９の両側面の第１のガイド部材６１の切欠部６１ａに対応する部分であって、ディスプレイ画面１５が設けられた面に対して反対側の面（裏面）１９ｂ側には、それぞれ第２のガイド部材６２と対称的に形成された薄板凸状の第３のガイド部材６３が固着又は一体的に形成されている。第３のガイド部材６３は溝部６３ａを有している。
【００８９】
６４はスライダ部材であり、スライダ部材６４の上下の縁部６４ａはそれぞれ概略Ｕ字状に折り曲げられている。このスライダ部材６４は、縁部６４ａが第１のガイド部材６１の溝部６１ｂ内に入り込んで、第１のガイド部材６１を挟み込むように、第１のガイド部材６１にスライド可能に嵌合されている。
【００９０】
しかして、この情報処理装置を使用しない場合には、スライダ部材６４を第１のガイド部材６１の切欠部６１ａと反対側にスライドした状態で、表示部１３をディスプレイ画面１５がキーボード１２に対面するように第１の軸１４を中心として閉じると、第２のガイド部材６２が第１のガイド部材６１の切欠部６１ａに位置した状態となる。この状態で、スライダ部材６４を切欠部６１ａ側にスライドさせることにより、第１のガイド部材６１と第２のガイド部材６２がスライダ部材６４により挟み込まれ、表示部１３が本体装置１１に固定される。
【００９１】
表示部１３を第１の軸１４を中心として開く場合には、スライダ部材６４を反対側にスライドさせることにより、ロックを解除することができる。
【００９２】
この情報処理装置を使用する場合であって、入力ペンを用いて入力操作を行う場合には、表示部１３を開いた状態（図１（ａ）の状態）から第２の軸１６を中心として反転させ、表示部１３を裏面１９ｂがキーボード１２に対面するように第１の軸１４を中心として閉じると、第３のガイド部材６３が第１のガイド部材６１の切欠部６１ａに位置した状態となる。この状態で、スライダ部材６４を切欠部６１ａ側にスライドさせることにより、第１のガイド部材６１と第３のガイド部材６３がスライダ部材６４により挟み込まれ、表示部１３が本体装置１１に固定される。
【００９３】
表示部１３を第１の軸１４を中心として開く場合には、スライダ部材６４を反対側にスライドさせることにより、ロックを解除することができる。
【００９４】
この第４の実施の形態によると、スライダ部材６４により、第１のガイド部材６１と第２のガイド部材６２又は第１のガイド部材６１と第３のガイド部材６３を挟み込むことにより、ロックするように構成したので、ディスプレイ画面１５が本体装置１１に対面した状態のみならず、ディスプレイ画面１５を上に向けた状態でも表示部１３を本体装置１１にロックすることができるようになり、いずれの状態においても支障無く持ち運びできるようになる。
【図面の簡単な説明】
【００９５】
【図１】本発明の第１の実施の形態の情報処理装置の全体構成を示す斜視図であり、（ａ）はキーボードを用いて入力操作を行う場合を、（ｂ）は入力ペンを用いて入力操作を行う場合を示している。
【図２】本発明の第１の実施の形態の要部を拡大した図であり、（ａ）は水平面で切った断面図、（ｂ）は垂直面で切った断面図である。
【図３】本発明の第１の実施の形態の要部を拡大した分解斜視図である。
【図４】本発明の第２の実施の形態の要部を拡大した図であり、（ａ）は水平面で切った断面図、（ｂ）は垂直面で切った断面図である。
【図５】本発明の第２の実施の形態の要部を拡大した分解斜視図である。
【図６】本発明の第３の実施の形態の要部を拡大した図であり、（ａ）は水平面で切った断面図、（ｂ）は垂直面で切った断面図である。
【図７】本発明の第３の実施の形態の要部を拡大した分解斜視図である。
【図８】本発明の第４の実施の形態の要部を拡大した図であり、（ａ）は側面図、（ｂ）は垂直面で切った断面図である。
【図９】本発明の第４の実施の形態の要部を拡大した分解斜視図である。
【図１０】従来技術を示す図であり、（ａ）は垂直面で切った断面図、（ｂ）は（ａ）の垂直面と直交する垂直面で切った断面図である。
【符号の説明】
【００９６】
１１    本体装置
１２    キーボード
１３    表示部
１４    第１の軸
１５    ディスプレイ画面
１６    第２の軸
１７    本体ケース
１８    本体ケース穴
１９    表示部ケース
１９ａ    表示部の表面
１９ｂ    表示部の裏面
２０    第１の表示部ケース穴
２１    第２の表示部ケース穴
２２    ロック部材
２２ａ    爪部
２３    ホルダ部材
２４    軸部材
２５    支持部材
２６    ツマミ部材
２８    コイルバネ
【図１】
2004318908.tif 000003
【図２】
2004318908.tif 000004
【図３】
2004318908.tif 000005
【図４】
2004318908.tif 000006
【図５】
2004318908.tif 000007
【図６】
2004318908.tif 000008
【図７】
2004318908.tif 000009
【図８】
2004318908.tif 000010
【図９】
2004318908.tif 000011
【図１０】
2004318908.tif 000012
【手続補正書】
【提出日】平成16年7月14日(2004.7.14)
【手続補正１】
【補正対象書類名】特許請求の範囲
【補正対象項目名】全文
【補正方法】変更
【補正の内容】
【特許請求の範囲】
【請求項１】
第１面及び該第１面と対向した第２面を有する概略矩形状の第１の部材と、
第２の部材と、
上記第１の部材の第１面が上記第２の部材に対向する第１の状態と上記第１の部材の第２面が上記第２の部材に対向する第２の状態との間で上記第１及び第２の部材が相対的に変位することができるように上記第１及び第２の部材を連結する連結手段とを備え、
上記第１の部材は、上記第１面及び第２面のいずれか一方から選択的に突出することができるように設けられるフック部材を有しており、それにより、上記フック部材は上記第１の状態では上記第１面から、上記第２の状態では上記第２面から突出することができ、
上記第２の部材は、上記第１状態及び第２状態のいずれにおいても上記第１の部材から突出される上記フック部材が係合可能な係合部を有している情報処理装置。
【請求項２】
請求項１に記載の装置であって、
上記第２の部材は第３面を有し、
上記係合部は上記第３面に設けられており、
上記連結手段は、各々上記第１の部材を回転可能に支持する互いに直交する２軸を含み、
それにより、上記第１の状態では上記第１面及び第３面が互いに対向して上記第１面から突出する上記フック部材が上記係合部に係合し、上記第２の状態では上記第２面及び上記第３面が互いに対向して上記第２面から突出する上記フック部材が上記係合部に係合する装置。
【請求項３】
請求項２に記載の装置であって、
上記第１の部材は上記第１面に表示ユニットを有し、
上記第２の部材は上記第３面にキーボードユニットを有し、
それにより、上記第１の状態では上記表示ユニット及び上記キーボードユニットが上記第１及び上記第２の部材間に閉じ込められ、上記第２の状態では上記表示ユニットが上記装置の外に向く装置。
【請求項４】
請求項１乃至３のいずれか１項に記載の装置であって、
上記フック部材の突出状態を維持するために上記フック部材を付勢する付勢手段と、
上記付勢手段による上記フック部材を付勢した状態を解除する解除手段とを有する装置。